(57)【特許請求の範囲】
【請求項１】
略円筒状の周壁で囲まれており、上部に洗い場排水の受入口を有し、下部に第１流出口を有した受入室と、
該第１流出口が連なる合流流出口と、
該受入室の下側を通って延在し、一端側に浴槽排水の流入口を有し、他端側に該合流流出口に連なる第２流出口を有している浴槽排水流路と、
該受入室の下側の該浴槽排水流路の水の一部を該受入室内に導入するための導水部材であって、下部が該浴槽排水流路内に開放し、上部が該受入室内に開放している導水部材と、
を備えてなる浴槽及び洗い場用の排水トラップにおいて、
前記導水部材に、該導水部材から前記受入室内に導入された水の水勢により該受入室内で旋回流を形成するための旋回流形成手段が設けられており、
該旋回流形成手段は、該導水部材から水を該受入室の略水平な略接線方向（以下、「略水平な略接線方向」を「略接線方向」と略す。）に流出させて該受入室内で旋回流を形成するように構成されていることを特徴とする排水トラップ。
【請求項２】
請求項１において、前記導水部材として、前記受入室の中央に導水筒が立設され、
前記旋回流形成手段として、該導水筒の上部に、前記略接線方向に水を流出させる第３流出口が設けられており、
該導水筒は上端側が閉鎖されており、該導水筒の上部の側周面に該第３流出口が設けられており、
該第３流出口は、その導水筒の周方向の一方の側面が前記略接線方向に延在し、且つ該導水筒の内周面に接線状に連なっており、他方の側面が該一方の側面と略平行方向に延在していることを特徴とする排水トラップ。
【請求項３】
請求項１において、前記導水部材として、前記受入室の中央に導水筒が立設され、
前記旋回流形成手段は、該導水筒の上部から側方へ張り出す張出部と、
該張出部の側面に設けられた、前記略接線方向に水を流出させる第３流出口と、
該張出部内に設けられた、該導水筒内と第３流出口とを連通する導水路と
を備えてなることを特徴とする排水トラップ。
【請求項４】
請求項３において、該張出部の第３流出口の下縁から、前記略接線方向にガイド片が突設されており、
該ガイド片は、該第３流出口から離反するほど上位となるように湾曲していることを特徴とする排水トラップ。
【請求項５】
請求項１において、前記導水部材として、前記受入室の中央に導水筒が立設され、
前記旋回流形成手段は、該導水筒の上部に該導水筒の周方向に回転可能に設けられた回転体と、
該回転体に設けられた、前記略接線方向に水を流出させる第３流出口と、
該回転体内に設けられた、該導水筒内と第３流出口とを連通する導水路と、
該回転体を前記受入室内の旋回流の旋回方向と同方向に回転させる駆動手段と
を備えてなることを特徴とする排水トラップ。
【請求項６】
請求項５において、該駆動手段は、前記浴槽排水流路内を流れる水の水力により該回転体を回転させることを特徴とする排水トラップ。
【請求項７】
請求項６において、該駆動手段は、前記導水筒の下側の該浴槽排水流路内に配置されており、該浴槽排水流路内を流れる水の水力により回転する羽根車と、
該導水筒に挿通され、一端側が前記回転体に連なり、他端側が該羽根車の回転軸に連なっており、該羽根車の回転を該回転体に伝達するシャフトと
を備えてなることを特徴とする排水トラップ。
【請求項８】
請求項１ないし７のいずれか１項において、前記周壁の内周面に沿って該周壁の上端側から下端側へ螺旋状に延在するフィンが設けられていることを特徴とする排水トラップ。
【請求項９】
略円筒状の周壁で囲まれており、上部に洗い場排水の受入口を有し、下部に第１流出口を有した受入室と、
該第１流出口が連なる合流流出口と、
該受入室の下側を通って延在し、一端側に浴槽排水の流入口を有し、他端側に該合流流出口に連なる第２流出口を有している浴槽排水流路と、
該受入室の下側の該浴槽排水流路の水の一部を該受入室内に導入するための導水部材であって、下部が該浴槽排水流路内に開放し、上部が該受入室内に開放している導水部材と、
を備えてなる浴槽及び洗い場用の排水トラップにおいて、
前記導水部材に、該導水部材から前記受入室内に導入された水の水勢により該受入室内で旋回流を形成するための旋回流形成手段が設けられており、
該導水部材は、該受入室の中央に立設された導水筒であり、
該旋回流形成手段として、該導水筒内に、該導水筒の内周面に沿って該導水筒の下端側から上端側へ螺旋状に延在するフィンが設けられていることを特徴とする排水トラップ。
【請求項１０】
請求項１ないし９のいずれか１項において、前記周壁は、下端側ほど縮径するテーパ形状となっていることを特徴とする排水トラップ。
【発明の詳細な説明】
【技術分野】
【０００１】
本発明は、浴槽及び洗い場用の排水トラップに係り、特に洗い場排水を受け入れる受入室と、浴槽排水が流入する浴槽排水流路とを有し、該受入室及び浴槽排水流路から水が共通の流出口を通って排水される排水トラップにおいて、該浴槽排水流路の水の一部を受入室内に導入するための導水部材を備えた排水トラップに関する。
【背景技術】
【０００２】
ｉ）  洗い場排水を受け入れる受入室と、浴槽排水が流入する浴槽排水流路とを有し、該受入室及び浴槽排水流路から水が共通の流出口を通って排水される排水トラップにおいて、該浴槽排水流路の水の一部を受入室内に導入するための導水部材を備えた排水トラップが特開２００７−１９７９４３号公報に記載されている。
【０００３】
以下に、第２４〜２８図を参照して同号公報の排水トラップについて説明する。
【０００４】
第２４図は同号公報の排水トラップの縦断面図、第２５図はこの排水トラップの斜視図、第２６図はこの排水トラップの導水筒の側面図、第２７図は第２６図のXXVII−XVII線矢視図、第２８図は第２７図のXXVIII−XVIII線断面図である。
【０００５】
第２４図の通り、浴室の床は浴槽パン１０１と洗い場パン１０２とによって構成され、該浴槽パン１０１上に浴槽１０３が設置されている。符号１０４は、該浴槽パン１０１と洗い場パン１０２とを区画する堤防部を示し、符号１０５は、該堤防部１０４に沿って浴槽１０３の側面を覆うように設置されたエプロン部を示している。
【０００６】
該浴槽パン１０１の底部及び浴槽１０３の底部には、それぞれ排水口１０１ａ，１０３ａが設けられている。第２４図の通り、該浴槽パン１０１の排水口１０１ａは浴槽１０３の排水口１０３ａよりも大径となっており、且つ浴槽１０３の排水口１０３ａは浴槽パン１０１の排水口１０１ａの内側に露呈するように配置されている。
【０００７】
洗い場パン１０２の浴槽１０３側には排水枡１０６が設けられている。第２４図の通り、排水枡１０６は洗い場パン１０２と一体に凹み状に形成されている。この排水枡１０６の上面には排水目皿１０７が装着されている。
【０００８】
これらの浴槽パン１０１及び浴槽１０３の各排水口１０１ａ，１０３ａ並びに洗い場パン１０２の排水枡１０６に対し、下側から排水トラップ１１０が連結されている。
【０００９】
第２５図に示すように、排水トラップ１１０の上面部には、洗い場パン１０２からの排水が排水枡１０６を通り流入する洗い場排水受入口１１０Ａと、浴槽１０３からの排水が排水口１０３ａを通り流入する浴槽排水流入口１１０Ｂと、浴槽パン１０１からの排水が排水口１０１ａを通り流入する浴槽パン排水流入口１１０Ｃとが設けられている。
【００１０】
また、この排水トラップ１１０の該浴槽排水流入口１１０Ｂ及び浴槽パン排水流入口１１０Ｃと反対側の側面部には、これらの洗い場排水受入口１１０Ａ、浴槽排水流入口１１０Ｂ及び浴槽パン排水流入口１１０Ｃから該排水トラップ１１０内に流入した水が流出する合流流出口１１０Ｄが設けられている。この合流流出口１１０Ｄに排水管１０８が接続されている。
【００１１】
この排水トラップ１１０の構成について次に詳細に説明する。
【００１２】
この排水トラップ１１０は、略円筒状の周壁１２１で囲まれており、上部に前記洗い場排水受入口１１０Ａを有し、該周壁１２１の下部に第１流出口１２２を有した洗い場排水の受入室１２０と、該第１流出口１２１が連なる前記合流流出口１１０Ｄと、受入室１２０の下側を通って延在し、一端側（上流側）に前記浴槽排水流入口１１０Ｂを有し、他端側（下流側）に該合流流出口１１０Ｄに連なる第２流出口１３１を有した浴槽排水流路１３０と、受入室１２０の底部中央から立設された、該受入室１２０の下側の浴槽排水流路１３０の水の一部を該受入室１２０内に導入するための導水筒１４０等を備えている。
【００１３】
第２４，２５図の通り、浴槽排水流路１３０を取り囲むケーシング１３２の該浴槽排水流路１３０上流側の上面から円筒状の浴槽連結部１３３が立設されている。この浴槽連結部１３３内は浴槽排水流路１３０に連通している。この浴槽連結部１３３の上部が浴槽排水流入口１１０Ｂとなっている。また、この浴槽連結部１３３を取り囲むように、該浴槽連結部１３３よりも大径の円筒状の浴槽パン連結部１３４が立設されており、この浴槽パン連結部１３４と浴槽連結部１３３との間が浴槽パン排水流入口１１０Ｃとなっている。
【００１４】
なお、ケーシング１３２内には、該浴槽排水流路１３０とは別に、浴槽パン排水流路（図示略）が設けられている。この浴槽パン排水流路は、一端側（上流側）が該浴槽パン排水流入口１１０Ｃに連なり、他端側（下流側）が前記合流流出口１１０Ｄに連なっている。
【００１５】
浴槽パン１０１の排水口１０１ａ及び浴槽１０３の排水口１０３ａには、それぞれ環状のフランジ部材１０９ａ，１０９ｂが取り付けられている。浴槽パン１０１の下側から浴槽パン排水口１０１ａの周縁部に浴槽パン連結部１３４が当接され、該浴槽パン連結部１３４にこのフランジ部材１０９ａが螺じ込まれることにより、該浴槽パン連結部１３４が浴槽パン排水口１０１ａの周縁部に連結されている。また、浴槽１０３の下側から浴槽排水口１０３ａの周縁部に浴槽連結部１３３が当接され、該浴槽連結部１３３にフランジ部材１０９ｂが螺じ込まれることにより、該浴槽連結部１３３が浴槽排水口１０３ａの周縁部に連結されている。
【００１６】
第２４図に示すように、ケーシング１３２の浴槽排水流路１３０下流側は、上方へ立ち上がる立上部１３５となっている。この立上部１３５の上部の側面に前記第２流出口１３１が設けられている。第２４図に示すように、この第２流出口１３１の下縁のレベルＷ２は、ケーシング１３２の上面よりも上位となっている。
【００１７】
ケーシング１３２の浴槽排水流路１３０下流側の上面には、受入室ハウジング１３６が設けられている。この受入室ハウジング１３６の上面開口１３６ａから該受入室ハウジング１３６内に前記周壁１２１がその筒軸心方向を上下方向として挿入されている。この周壁１２１の上端部は該開口１３６ａの周縁部に係止されている。この周壁１２１の下端は、受入室ハウジング１３６の底面から所定距離離隔している。
【００１８】
この周壁１２１は、上下両端が開放しており、その上端側の開放口が洗い場排水受入口１１０Ａとなっており、下端側の開放口が第１流出口１２２となっている。
【００１９】
この周壁１２１の内側が洗い場排水の受入室１２０であり、この周壁１２１と受入室ハウジング１３６との間の室は、封水が溜められる封水室１２３となっている。この受入室１２０は、第１流出口１２２と、周壁１２１の下端と受入室ハウジング１３６の底面との間の隙間とを通って封水室１２３に連通している。
【００２０】
洗い場パン１０２の排水枡１０６の底部には環状のフランジ部材１０９ｃが取り付けられており、このフランジ部材１０９ｃが開口１３６ａの周囲の周壁部１３６ｂに螺じ込まれることにより、受入室ハウジング１３６の上部が排水枡１０６に連結されている。
【００２１】
受入室ハウジング１３６のうち立上部１３５の上側の部分は、該立上部１３５の上面に沿って上方へ立ち上がる立上部１３７となっている。この立上部１３７の上部の側面に、洗い場排水流出口１２４が設けられている。第２４図に示すように、この洗い場排水流出口１２４の下縁のレベルＷ１は、周壁１２１の下端よりも上位となっている。
【００２２】
ケーシング１３２の浴槽排水流路１３０下流側の側面からは、円筒状の前記合流流出口１１０Ｄが突設されている。前記洗い場排水流出口１２４及び第２流出口１３１は、それぞれこの合流流出口１１０Ｄ内に連通している。
【００２３】
導水筒１４０は、受入室ハウジング１３６の底面から周壁１２１と同軸的に立設され、その上部は受入室１２０内に配置されている。この導水筒１４０の下端側は、受入室ハウジング１３６の底面を貫通して浴槽排水流路１３０内に露呈している。この導水筒１４０は、上下両端が開放しており、その下端側の開放口が、浴槽排水流路１３０の水をこの導水筒１４０内に導入する導入口１４１となっている。
【００２４】
この導水筒１４０の下端から下方へ向って突片１４２が突設されている。この突片１４２は、導入口１４１の浴槽排水流路１３０下流側の縁部に沿って形成されている。この突片１４２の下端は、浴槽排水流路１３０の底面に当接している。
【００２５】
導水筒１４０の上部には、該導水筒１４０の上部から水を周壁１２１内に放射状に流出させるためのガイド部材１４３が設けられている。このガイド部材１４３は、上方から導水筒１４０に被さる蓋部１４３ａと、この蓋部１４３ａの下面の中央から放射状に延在した複数のガイド片１４３ｂとを有している。該蓋部１４３ａは導水筒１４０の上端面から所定距離上方へ離隔しており、この蓋部１４３ａと導水筒１４０の上端面との間の隙間が、導水筒１４０からの水の流出口１４４となっている。この流出口１４４は、周壁１２１の下端よりも上位に位置している。
【００２６】
次に、この排水トラップ１１０の作動について説明する。
【００２７】
洗い場パン１０２からの排水は、排水枡１０６及び洗い場排水流入口１１０Ａを通って受入室１２０に流入し、この受入室１２０から第１流出口１２２、封水室１２３、洗い場排水流出口１２４及び合流流出口１１０Ｄを通って排水管１０８に流出する。この洗い場排水の流出が停止すると、封水室１２３内には、洗い場排水流出口１２４の下縁のレベルＷ１まで封水が残る。この封水に周壁１２１の下端が没するので、排水管１０８の臭気が洗い場排水受入口１１０Ａから浴室内に逆流することが防止される。
【００２８】
浴槽１０３からの排水は、排水口１０３ａ及び浴室排水流入口１１０Ｂを通って浴槽排水流路１３０に流入し、この浴槽排水流路１３０、第２流出口１３１及び合流流出口１１０Ｄを通って排水管１０８に流出する。また、浴槽パン１０１からの排水は、排水口１０１ａ及び浴槽パン排水流入口１１０Ｃを通って浴槽パン排水流路に流入し、この浴槽パン排水流路及び合流流出口１１０Ｄを通って排水管１０８に流出する。この際、該浴槽排水流路１３０を流れる水の一部は、該浴槽排水流路１３０の途中で突片１４２により堰き止められて導入口１４１から導水筒１４０内に流入し、該導水筒１４０内を通って該導水筒１４０の上部の流出口１４４から受入室１２０内に流出する。この際、流出口１４４から水が各ガイド片１４３ｂに沿って放射状に流出する。
【００２９】
浴槽排水の流出が停止すると、浴槽排水流路１３０内及び浴槽パン排水流路内には第２流出口１３１の下縁のレベルＷ２まで封水が残り、この封水によって浴槽排水流路１３０及び浴槽パン排水流路が封鎖されるため、排水管１０８の臭気が浴槽排水流入口１１０Ｂ及び浴槽パン排水流入口１１０Ｃから浴室内に逆流することが防止される。
【００３０】
この排水トラップ１１０にあっては、封水室１２３の洗い場排水流出口１２４と浴槽排水流路１３０の第２流出口１３１とが共通の合流流出口１１０Ｄに連なっているので、浴槽排水が浴槽排水流路１３０、第２流出口１３１及び合流流出口１１０Ｄを通って排水管１０８に流出する場合、この水流により洗い場排水流出口１２４に負圧が生じて封水室１２３内の封水が合流流出口１１０Ｄに吸い出されることがあるが、浴槽排水流路１３０を流れる浴槽排水の一部が導水筒１４０を通って受入室１２０に流入することにより、封水室１２３内に封水が補給されるため、該封水室１２３内で封水切れすることが防止される。
【００３１】
ii）  洗い場排水を受け入れる洗い場排水受入口が上部に設けられていると共に、浴槽排水を側周面から受入室内に受け入れて該受入室内に旋回流を形成するようにした排水トラップが特許第３８８６０５５号公報に記載されている。このトラップの洗い場排水受入口には、上方が開放したカゴ（篭）状のヘアキャッチャーが着脱自在に装着されている。このヘアキャッチャーは、トラップ内の軸心部付近に垂下している。
【００３２】
浴槽排水がトラップ内に流入し、トラップ内の水位が上昇して旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【特許文献１】特開２００７−１９７９４３号公報
【特許文献２】特許第３８８６０５５号公報
【発明の開示】
【発明が解決しようとする課題】
【００３３】
本発明は、洗い場排水を受け入れる受入室と、浴槽排水が流入する浴槽排水流路とを有し、該受入室及び浴槽排水流路から水が共通の流出口を通って排水される排水トラップであって、該浴槽排水流路の水の一部を受入室内に導入するための導水部材を備えた排水トラップにおいて、該受入室内に旋回流を形成することが可能な排水トラップを提供することを目的とする。
【課題を解決するための手段】
【００３４】
本発明（請求項１）の排水トラップは、略円筒状の周壁で囲まれており、上部に洗い場排水の受入口を有し、下部に第１流出口を有した受入室と、該第１流出口が連なる合流流出口と、該受入室の下側を通って延在し、一端側に浴槽排水の流入口を有し、他端側に該合流流出口に連なる第２流出口を有している浴槽排水流路と、該受入室の下側の該浴槽排水流路の水の一部を該受入室内に導入するための導水部材であって、下部が該浴槽排水流路内に開放し、上部が該受入室内に開放している導水部材と、を備えてなる浴槽及び洗い場用の排水トラップにおいて、前記導水部材に、該導水部材から前記受入室内に導入された水の水勢により該受入室内で旋回流を形成するための旋回流形成手段が設けられており、該旋回流形成手段は、該導水部材から水を該受入室の略水平な略接線方向（以下、「略水平な略接線方向」を「略接線方向」と略す。）に流出させて該受入室内で旋回流を形成するように構成されていることを特徴とするものである。
【００３５】
請求項２の排水トラップは、請求項１において、前記導水部材として、前記受入室の中央に導水筒が立設され、前記旋回流形成手段として、該導水筒の上部に、前記略接線方向に水を流出させる第３流出口が設けられており、該導水筒は上端側が閉鎖されており、該導水筒の上部の側周面に該第３流出口が設けられており、該第３流出口は、その導水筒の周方向の一方の側面が前記略接線方向に延在し、且つ該導水筒の内周面に接線状に連なっており、他方の側面が該一方の側面と略平行方向に延在していることを特徴とするものである。
【００３６】
請求項３の排水トラップは、請求項１において、前記導水部材として、前記受入室の中央に導水筒が立設され、前記旋回流形成手段は、該導水筒の上部から側方へ張り出す張出部と、該張出部の側面に設けられた、前記略接線方向に水を流出させる第３流出口と、該張出部内に設けられた、該導水筒内と第３流出口とを連通する導水路とを備えてなることを特徴とするものである。
【００３７】
請求項４の排水トラップは、請求項３において、該張出部の第３流出口の下縁から、前記略接線方向にガイド片が突設されており、該ガイド片は、該第３流出口から離反するほど上位となるように湾曲していることを特徴とするものである。
【００３８】
請求項５の排水トラップは、請求項１において、前記導水部材として、前記受入室の中央に導水筒が立設され、前記旋回流形成手段は、該導水筒の上部に該導水筒の周方向に回転可能に設けられた回転体と、該回転体に設けられた、前記略接線方向に水を流出させる第３流出口と、該回転体内に設けられた、該導水筒内と第３流出口とを連通する導水路と、該回転体を前記受入室内の旋回流の旋回方向と同方向に回転させる駆動手段とを備えてなることを特徴とするものである。
【００３９】
請求項６の排水トラップは、請求項５において、該駆動手段は、前記浴槽排水流路内を流れる水の水力により該回転体を回転させることを特徴とするものである。
【００４０】
請求項７の排水トラップは、請求項６において、該駆動手段は、前記導水筒の下側の該浴槽排水流路内に配置されており、該浴槽排水流路内を流れる水の水力により回転する羽根車と、該導水筒に挿通され、一端側が前記回転体に連なり、他端側が該羽根車の回転軸に連なっており、該羽根車の回転を該回転体に伝達するシャフトとを備えてなることを特徴とするものである。
【００４１】
請求項８の排水トラップは、請求項１ないし７のいずれか１項において、前記周壁の内周面に沿って該周壁の上端側から下端側へ螺旋状に延在するフィンが設けられていることを特徴とするものである。
【００４２】
本発明（請求項９）の排水トラップは、略円筒状の周壁で囲まれており、上部に洗い場排水の受入口を有し、下部に第１流出口を有した受入室と、該第１流出口が連なる合流流出口と、該受入室の下側を通って延在し、一端側に浴槽排水の流入口を有し、他端側に該合流流出口に連なる第２流出口を有している浴槽排水流路と、該受入室の下側の該浴槽排水流路の水の一部を該受入室内に導入するための導水部材であって、下部が該浴槽排水流路内に開放し、上部が該受入室内に開放している導水部材と、を備えてなる浴槽及び洗い場用の排水トラップにおいて、前記導水部材に、該導水部材から前記受入室内に導入された水の水勢により該受入室内で旋回流を形成するための旋回流形成手段が設けられており、該導水部材は、該受入室の中央に立設された導水筒であり、該旋回流形成手段として、該導水筒内に、該導水筒の内周面に沿って該導水筒の下端側から上端側へ螺旋状に延在するフィンが設けられていることを特徴とするものである。
【００４３】
請求項１０の排水トラップは、請求項１ないし９のいずれか１項において、前記周壁は、下端側ほど縮径するテーパ形状となっていることを特徴とするものである。
【発明の効果】
【００４４】
本発明（請求項１）の排水トラップにあっては、導水部材に設けられた旋回流形成手段により、該導水部材から水が受入室の略接線方向に流出するため、この導水部材から流出した水の水勢によって受入室内に旋回流が形成されるようになる。
【００４５】
請求項２の態様においては、受入室の中央に立設された導水筒の第３流出口から水が受入室の略接線方向に流出するため、この第３流出口から流出した水の水勢によって受入室内に旋回流が形成されるようになる。
【００４６】
請求項３の態様においては、受入室の中央に立設された導水筒の上部から側方へ張り出した張出部の第３流出口から水が受入室の略接線方向に流出するため、この第３流出口から流出した水の水勢によって受入室内に旋回流が形成されるようになる。
【００４７】
請求項４の態様においては、この第３流出口から流出した水は、ガイド片に沿って上方へジャンプしてから受入室内に流れ落ちるようになる。そのため、この第３流出口からの流出水の水勢が増幅され、受入室内に強力な旋回流が形成されるようになる。
【００４８】
本発明（請求項９）の排水トラップにおいては、導水筒の内周面に沿って螺旋状に延在したフィンに沿って水が該導水筒内を流れるため、この導水筒内に旋回流が形成されるようになる。これにより、この導水筒から受入室内へ水が該受入室の略接線方向に流出し、この流出水の水勢によって受入室内に旋回流が形成されるようになる。
【００４９】
請求項５の態様においては、導水筒の上部に設けられた回転体の第３流出口から水が受入室の略接線方向に流出するため、この第３流出口から流出した水の水勢によって受入室内に旋回流が形成されるようになる。また、この回転体は駆動手段によって受入室内の旋回流の旋回方向と同方向に回転するため、該第３流出口からの流出水の水勢が増幅され、受入室内に強力な旋回流が形成されるようになる。
【００５０】
請求項６のように、この駆動手段は、浴槽排水流路を流れる水の水力により回転体を回転させるものであることが好ましい。これにより、排水トラップに別途この回転体を回転させるための動力源を設けることが不要となる。請求項７の機構は、この水力式駆動手段の一例である。請求項７によれば、この水力式駆動手段を簡易に構成することができる。
【００５１】
請求項１０の態様では、受入室を囲む周壁は、下端側ほど縮径するテーパ形状となっているので、受入室内の下部の旋回流が第１流出口に向って連続的に増速しながら流れるようになり、旋回流速が効率よく増速されるため、受入室内の旋回流がより強力なものとなる。
【００５２】
請求項８の態様では、周壁の内周面に沿って螺旋状に延在したフィンに沿って受入室内を水が流れるため、受入室内に旋回流が形成されるようになる。
【発明を実施するための最良の形態】
【００５３】
以下に、図面を参照して本発明の実施の形態について説明する。
【００５４】
第１図は実施の形態に係る排水トラップを備えた浴室の概略的な斜視図、第２図はこの排水トラップの斜視図、第３図は第２図のIII−III線断面図、第４図は第３図のIV−IV線断面図、第５図は第３図のＶ−Ｖ線断面図である。
【００５５】
浴室の床は浴槽パン（図示略）と洗い場パン２とによって構成され、該浴槽パン上に浴槽３が設置されている。洗い場パン２の浴槽３側には排水枡４が設けられている。該排水枡４は洗い場パン２と一体に凹み状に形成されている。この排水枡４の上面には排水目皿５が装着されている。
【００５６】
これらの浴槽パン及び浴槽３の各排水口１ａ，３ａ並びに洗い場パン２の排水枡４に対し、下側から排水トラップ１０が連結されている。
【００５７】
第２図に示すように、排水トラップ１０の上面部には、洗い場パン２からの排水が排水枡４を通り流入する洗い場排水受入口１０Ａと、浴槽３からの排水が排水口３ａを通り流入する浴槽排水流入口１０Ｂと、浴槽パンからの排水が排水口１ａを通り流入する浴槽パン排水流入口１０Ｃとが設けられている。
【００５８】
また、この排水トラップ１０の該浴槽排水流入口１０Ｂ及び浴槽パン排水流入口１０Ｃと反対側の側面部には、これらの洗い場排水受入口１０Ａ、浴槽排水流入口１０Ｂ及び浴槽パン排水流入口１０Ｃから該排水トラップ１０内に流入した水が流出する合流流出口１０Ｄが設けられている。この合流流出口１０Ｄに排水管６が接続されている。
【００５９】
次に、第２〜５図を参照してこの排水トラップ１０の構成について詳細に説明する。
【００６０】
この排水トラップ１０は、略円筒状の周壁２１で囲まれており、上部に前記洗い場排水受入口１０Ａを有し、下部に第１流出口２２を有した洗い場排水の受入室２０と、該第１流出口２２が連なる前記合流流出口１０Ｄと、受入室２０の下側を通って延在し、一端側（上流側）に前記浴槽排水流入口１０Ｂを有し、他端側（下流側）に該合流流出口１０Ｄに連なる第２流出口３１を有した浴槽排水流路３０と、受入室２０の底部中央から立設された、該受入室２０の下側の浴槽排水流路３０の水の一部を該受入室２０内に導入するための導水部材としての導水筒４０等を備えている。
【００６１】
第２，５図に示すように、この実施の形態では、該浴槽排水流路３０は、平たい略直方体形状のケーシング３２によって囲まれている。第５図の通り、この実施の形態では、該ケーシング３２内には、該ケーシング３２の長手方向に延在する仕切り壁３３により、２個の流路が形成されている。この仕切り壁３３を挟んで一方の流路が浴槽排水流路３０となっており、他方の流路は、前記浴槽パンからの排水が流入する浴槽パン排水流路３４となっている。このケーシング３２の長手方向の一端側が各流路３０，３４の上流側となっており、他端側が下流側となっている。
【００６２】
第２図の通り、このケーシング３２の該浴槽排水流路３０上流側の上面から円筒状の浴槽連結部３５が立設されている。この浴槽連結部３５内は浴槽排水流路３０に連通している。この浴槽連結部３５の上部が浴槽排水流入口１０Ｂとなっている。また、この浴槽連結部３５を取り囲むように、該浴槽連結部３５よりも大径の円筒状の浴槽パン連結部３６が立設されている。この浴槽パン連結部３６と浴槽連結部３５との間が前記浴槽パン排水流入口１０Ｃとなっている。この浴槽パン連結部３６と浴槽連結部３５との間のケーシング３２上面には、浴槽パン排水流路３４に連通する連通孔３６ａ（第５図）が設けられている。
【００６３】
詳しい図示は省略するが、浴槽パンの排水口１ａ及び浴槽３の排水口３ａには、それぞれ環状のフランジ部材が取り付けられている。浴槽パンの下側から浴槽パン排水口１ａの周縁部に浴槽パン連結部３６が当接され、浴槽パン連結部３６に該浴槽パン排水口１ａのフランジ部材が螺じ込まれることにより、該浴槽パン連結部３６が浴槽パン排水口１ａの周縁部に連結されている。また、浴槽３の下側から浴槽排水口３ａの周縁部に浴槽連結部３５が当接され、浴槽連結部３５に該浴槽排水口３ａのフランジ部材が螺じ込まれることにより、該浴槽連結部３５が浴槽排水口３ａの周縁部に連結されている。
【００６４】
第３図に示すように、ケーシング３２の浴槽排水流路３０下流側は、上方へ立ち上がる立上部３７となっている。この立上部３７の立ち上がり方向先端側の側面、即ちケーシング３２の浴槽排水流路３０下流側の側面に前記第２流出口３１が設けられている。第３図の通り、この第２流出口３１の下縁のレベルは、ケーシング３２の上面よりも上位となっている。
【００６５】
ケーシング３２の浴槽排水流路３０下流側の上面には、受入室ハウジング３８が設けられている。この受入室ハウジング３８の上面開口３８ａから該受入室ハウジング３８内に前記周壁２１がその筒軸心方向を上下方向として挿入されている。この周壁２１の上端部からは外方に鍔部２１ａが突設されており、該鍔部２１ａが上方から開口３８ａの周縁部に係止されている。この周壁２１の下端は、受入室ハウジング３８の底面から所定距離離隔している。
【００６６】
この周壁２１は、上下両端が開放しており、その上端側の開放口が洗い場排水受入口１０Ａとなっており、下端側の開放口が第１流出口２２となっている。
【００６７】
この周壁２１の内側が洗い場排水の受入室２０であり、この周壁２１と受入室ハウジング３８との間の室は、封水が溜められる封水室２３となっている。この受入室２０は、第１流出口２２と、周壁２１の下端と受入室ハウジング３８の底面との間の隙間とを通って封水室２３に連通している。
【００６８】
この実施の形態では、該周壁２１は、第３図の通り、下端側ほど縮径するテーパ形状となっている。
【００６９】
受入室ハウジング３８のうち立上部３７の上側の部分は、該立上部３７の上面に沿って上方へ立ち上がる立上部３９となっている。この立上部３９の立ち上がり方向先端側の側面、即ちケーシング３２の浴槽排水流路３０下流側の側面に、洗い場排水流出口２４が設けられている。第３図に示すように、この洗い場排水流出口２４の下縁のレベルは、周壁２１の下端よりも上位となっている。
【００７０】
受入室ハウジング３８の上面からは、開口３８ａを取り囲む円筒状の排水枡連結部３８ｂが突設されている。洗い場パン２の排水枡４の底部の排水トラップ設置口（円形の開口）には、この排水枡連結部３８に係合する環状のフランジ部材７が取り付けられている。このフランジ部材７は、筒部７ａと、該筒部７ａの上端から拡開するフランジ部７ｂとを有している。この筒部７ａが該排水トラップ設置口の上縁部にパッキン（図示略）を介して当接している。筒部７ｂの外周面に雄ネジが設けられており、この筒部７ｂが排水枡連結部３８に螺じ込まれることにより、排水枡連結部３８が該排水トラップ設置口に連結されている。
【００７１】
このフランジ部材７を通して受入室２０内に上方から着脱可能にヘアキャッチャー（図示略）が差し込まれている。このヘアキャッチャーは、上面が開いたカゴ（篭）状であり、多数の開口が設けられている。また、このヘアキャッチャーは、その下端が受入室２０内の封水面よりも若干上方に位置するようにフランジ部材７に支持されている。なお、ヘアキャッチャーは、受入室２０内に形成される旋回流によって上方に押されても浮き上がらないようにフランジ部材７に係止部７ｃによって係止されている。
【００７２】
ケーシング３２の浴槽排水流路３０下流側の側面からは、円筒状の前記合流流出口１０Ｄが突設されている。前記洗い場排水流出口２４及び第２流出口３１は、それぞれこの合流流出口１０Ｄ内に連通している。
【００７３】
導水筒４０は、受入室ハウジング３８の底面から周壁２１と同軸的に立設されており、その上部は受入室２０内に配置されている。この導水筒４０の下端側は、受入室ハウジング３８の底面を貫通して浴槽排水流路３０内に延出している。この導水筒４０は下端側が開放しており、この下端側の開放口が、浴槽排水流路３０の水をこの導水筒４０内に導入する導入口４１となっている。この導水筒４０の下端は、浴槽排水流路３０の底面から所定距離上方へ離隔している。
【００７４】
なお、本発明においても、前述の特開２００７−１９７９４３号公報と同様に、該導水筒４０の下端の浴槽排水流路３０下流側の縁部から下方へ向って突片１４２が突設されていることが望ましい。この突片１４２を設けることにより、浴槽排水流路３０を流れる水の一部がこの突片１４２により堰き止められて導入口４１から導水筒１４０内にスムーズに流入するようになる。
【００７５】
この実施の形態では、導水筒４０は、上端側が閉鎖された逆カップ形状となっている。この導水筒４０の上部の側周面に、該導水筒４０内の水を受入室２０内へ流出させる第３流出口４２が設けられている。
【００７６】
この第３流出口４２は、受入室２０の略接線方向に水を流出させるように構成されている。この実施の形態では、第４図の通り、該第３流出口４２は、その導水筒４０周方向の一方の側面が受入室２０の略接線方向に延在し、且つ該導水筒４０の内周面に接線状に連なっており、他方の側面もこれと略平行方向に延在したものとなっている。これにより、第３流出口４２からの流出水は、この第３流出口４２の両側面に沿って受入室２０の略接線方向に流出するようになる。
【００７７】
この第３流出口４２から受入室２０内へ該受入室２０の略接線方向に流出した水の水勢により、受入室２０内に旋回流が形成されるようになる。即ち、この実施の形態では、該第３流出口が旋回流形成手段となっている。なお、この実施の形態では、第４図の通り、この第３流出口４２からの流出水の周回方向が、導水筒４０を上方から見て反時計方向となるように構成されている。
【００７８】
この実施の形態では、導水筒４０の周方向に等間隔にて２個の第３流出口４２が配設されている。これらの第３流出口４２からの水の流出方向は、いずれも、導水筒４０を上方から見て反時計方向となっている。なお、第３流出口４２の個数及び配置はこれに限定されない。
【００７９】
次に、この排水トラップ１０の作動について説明する。
【００８０】
洗い場パン２からの排水は、排水枡４及び洗い場排水流入口１０Ａを通って受入室２０に流入し、この受入室２０から第１流出口２２、封水室２３、洗い場排水流出口２４及び合流流出口１０Ｄを通って排水管６に流出する。この洗い場排水の流出が停止すると、封水室２３内には、洗い場排水流出口２４の下縁のレベルまで封水が残る。この封水に周壁２１の下端が没するので、排水管６の臭気が洗い場排水受入口１０Ａから浴室内に逆流することが防止される。
【００８１】
浴槽３及び浴槽パンからの排水は、各々の排水口３ａ，１ａ並びに浴室排水流入口１０Ｂ、浴槽パン排水流入口１０Ｃを通って浴槽排水流路３０及び浴槽パン排水流路３４に流入し、これらの排水流路３０，３４、第２流出口３１及び合流流出口１０Ｄを通って排水管６に流出する。この際、該浴槽排水流路３０を流れる水の一部は、該浴槽排水流路３０の途中で導入口４１から導水筒４０に流入し、該導水筒４０内を通って該導水筒４０の上部の各第３流出口４２から受入室２０内に流出する。
【００８２】
この際、各第３流出口４２から水が受入室２０内へ周回方向に流出するため、その水勢により受入室２０内に旋回流が形成されるようになる。そして、この水の流入により受入室２０内の水位が上昇し、ヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【００８３】
特に、この実施の形態では、受入室２０を囲む周壁２１は、下端側ほど縮径するテーパ形状となっているので、受入室２０内の下部の旋回流が第１流出口２２に向って連続的に増速しながら流れるようになり、旋回流速が効率よく増速される。この結果、受入室２０内に強力な旋回流が形成されるようになる。
【００８４】
この排水トラップ１０にあっても、浴槽排水が合流流出口１０Ｄを通って排水管６に流出するのに伴い、封水室２３内に負圧が生じて該封水室２３内の封水が合流流出口１０Ｄに吸い出されることがあるが、導水筒４０から受入室２０内に浴槽排水流路３０の水の一部が流入することにより封水室２３内に封水が補給されるため、該封水室２３内で封水切れすることが防止される。
【００８５】
浴槽排水の流出が停止すると、浴槽排水流路３０内及び浴槽パン排水流路３４内には第２流出口３１の下縁のレベルまで封水が残り、この封水によって浴槽排水流路３０及び浴槽パン排水流路３４が封鎖されるため、排水管６の臭気が浴槽排水流入口１０Ｂ及び浴槽パン排水流入口１０Ｃから浴室内に逆流することが防止される。
【００８６】
第６図は別の実施の形態に係る排水トラップの斜視図、第７図はこの排水トラップを第６図のVII方向から見た斜視図、第８図は第６図のVIII−VIII線断面図、第９図は第８図のIX−IX線断面図である。
【００８７】
第９図に示すように、この実施の形態の排水トラップ１０’においても、導水部材として、受入室２０の中央に導水筒４０が立設されている。この実施の形態では、該導水筒４０の上端部から側方へ向って嘴状の張出部５０が突設され、この張出部５０の先端側の側面に第３流出口５１が設けられている。張出部５０内には、導水筒４０内とこの第３流出口５１とを連通する導水路５２が形成されている。第９図の通り、この第３流出口５１は、その開口軸心線方向が受入室２０の略接線方向となっている。これにより、該第３流出口５１から受入室２０内へ水が該受入室２０の略接線方向に流出する。
【００８８】
この実施の形態では、該張出部５０、第３流出口５１及び導水路５２により旋回流形成手段が構成されている。なお、この実施の形態でも、第９図の通り、この第３流出口５１からの流出水の水勢により受入室２０内に形成される旋回流の旋回方向が、導水筒４０を上方から見て反時計方向となるように構成されている。
【００８９】
なお、この実施の形態では、導水筒４０の上部から一方向へのみ張出部５０が突設されているが、二方向以上へ張出部５０が突設され、各張出部５０の第３流出口５１からそれぞれ受入室２０内へ水が該受入室２０の略接線方向に流出するように構成されてもよい。
【００９０】
この実施の形態では、周壁２１は、その上端側から下端側まで略等径となっている。この実施の形態では、周壁２１の内周面に沿って該周壁２１の上端側から下端側へ螺旋状に延在するフィン６０が設けられている。この実施の形態では、該周壁２１の周方向に略等間隔にて２条のフィン６０が配設されている。各フィン６０は、周壁２１内を約１／４周する間に周壁２１の上端側から下端側まで螺進するものとなっている。この実施の形態では、各フィン６０は、周壁２１を上方から見て反時計方向先端側ほど下位となるように延在している。なお、フィン６０の個数や長さ、配置はこれに限定されない。
【００９１】
この排水トラップ１０’のその他の構成は前述の第１〜５図の排水トラップ１０と同様であり、第６〜９図において第１〜５図と同一符号は同一部分を示している。
【００９２】
この排水トラップ１０’にあっても、浴槽排水排出時には、浴槽排水流路３０を流れる水の一部が導入口４１から導水筒４０に導入され、この導水筒４０内及び導水路５２を通って第３流出口５１から受入室２０内に流出する。この際、第３流出口５１から受入室２０内へ水が該受入室２０の略接線方向に流出するため、その水勢によって受入室２０内に旋回流が形成されるようになる。
【００９３】
また、この実施の形態では、周壁２１の内周面に沿って該周壁２１の上端側から下端側へ螺旋状に延在するフィン６０が設けられているので、水が受入室２０の下部の第１流出口２２へ向って流れる際に、水がこのフィン６０に沿って流れることによっても、受入室２０内に旋回流が形成されるようになる。
【００９４】
第１０図はさらに別の実施の形態に係る排水トラップの斜視図、第１１図は第１０図のXI−XI線断面図、第１２図は第１１図のXII−XII線断面図、第１３図は第１２図のXIII−XIII線断面図である。
【００９５】
この実施の形態の排水トラップ１０’’においても、前述の第６〜９図の排水トラップ１０’と同様に、受入室２０の中央に導水部材として導水筒４０が立設されている。また、この実施の形態でも、該導水筒４０の上端部から側方へ向って、内部に導水筒４０内と連通した導水路５２を有する嘴状の張出部５０が突設され、この張出部５０の先端側の側面に、受入室２０の略接線方向に開放する第３流出口５１が設けられている。
【００９６】
この排水トラップ１０’’においては、該第３流出口５１の下縁から、受入室２０の略接線方向に舌片状のガイド片５３が突設されている。このガイド片５３は、基端側が略水平に該第３流出口５１の下縁に連なり、先端側が上方へ反り返るように湾曲したジャンプ台の如き形状となっている。
【００９７】
この実施の形態では、周壁２１は、第１〜５図の排水トラップ１０と同様に、下端側ほど縮径するテーパ形状となっている。
【００９８】
この排水トラップ１０’’のその他の構成は前述の第１〜５図の排水トラップ１０と同様であり、第１０〜１３図において第１〜５図と同一符号は同一部分を示している。
【００９９】
この排水トラップ１０’’においても、浴槽排水排出時には、浴槽排水流路３０を流れる水の一部が導入口４１から導水筒４０に導入され、この導水筒４０内及び導水路５２を通って第３流出口５１から受入室２０内に流出する。この際、第３流出口５１から受入室２０内へ水が該受入室２０の略接線方向に流出するため、その水勢によって受入室２０内に旋回流が形成されるようになる。
【０１００】
この排水トラップ１０’’にあっては、第３流出口５１から流出した水は、ガイド片５３に沿って上方へジャンプしてから受入室２０内に流れ落ちる。そのため、この第３流出口５１からの流出水の水勢が増幅され、受入室２０内に強力な旋回流が形成されるようになる。
【０１０１】
また、この実施の形態でも、受入室２０を囲む周壁２１は、下端側ほど縮径するテーパ形状となっているので、受入室２０内の下部の旋回流が第１流出口２２に向って連続的に増速しながら流れるようになり、旋回流速が効率よく増速されるため、受入室２０内の旋回流がより強力なものとなる。
【０１０２】
第１４図はさらに別の実施の形態に係る排水トラップの斜視図、第１５図は第１４図のXV−XV線断面図、第１６図は第１５図のXVI−XVI線断面図、第１７図はこの排水トラップのガイド部材と導水筒との分解斜視図、第１８図は第１５図のXVIII−XVIII線断面図である。
【０１０３】
この実施の形態の排水トラップ１０’’’においても、受入室２０の中央に導水部材として導水筒４０が立設されている。この実施の形態では、該導水筒４０は上下両端が開放しており、この導水筒４０の上端側に、該導水筒４０の周方向に回転可能に回転体７０が取り付けられている。
【０１０４】
この回転体７０は、第１７図に示すように、略円形の上面部７１と、該上面部７１の周縁部から下方に垂下した周壁部７２とを有する略キャップ形状となっている。該周壁部７２の下端側の外面には凹条７３が周設され、該凹条７３よりも上側の周壁部７２には、第３流出口７４が穿設されている。この実施の形態では、該上面部７１と周壁部７２とによって囲まれた空間が、導水筒４０内と該第３流出口７４とを連通する導水路となっている。
【０１０５】
導水筒４０の上端からは内向き鍔部４０ａが突設されている。回転体７０は、この内向き鍔部４０ａが凹条７３に係合することにより、該導水筒４０に回転可能に係止されている。
【０１０６】
第１６図に示すように、第３流出口７４は、その周壁部７２周方向の一方の側面が受入室２０の略接線方向に延在し、且つ該周壁部７２の内周面に接線状に連なっており、他方の側面もこれと略平行方向に延在したものとなっている。これにより、第３流出口７４からの流出水は、この第３流出口７４の両側面に沿って受入室２０の略接線方向に流出するようになる。なお、この実施の形態でも、第１６図の通り、この第３流出口７４から流出水により受入室２０内に形成される旋回流の旋回方向が、導水筒４０を上方から見て反時計方向となるように構成されている。
【０１０７】
上面部７１の下面の中央からは下方へ向ってシャフト７５が一体に突設されている。このシャフト７５は導水筒４０内に挿通されている。このシャフト７５の長さは導水筒４０の筒軸心方向の長さよりも大きく、その下端側は浴槽排水流路３０内に延出している。この実施の形態では、該浴槽排水流路３０の底面に軸受部７７が設けられており、この軸受部７７にシャフト７５の下端が回転自在に係合している。
【０１０８】
このシャフト７５の下端側には、該シャフト７５の外周面から放射状に突出した複数の羽根７６ａを有する羽根車７６が一体に設けられている。この羽根車７６は、浴槽排水流路３０内に配置されている。
【０１０９】
第１８図の通り、浴槽排水流路３０のうち導入口４１が露呈した部分は、他の部分よりも幅が狭い狭幅部３０ａとなっている。この狭幅部３０ａ内に羽根車７６の略半周分が露呈しており、羽根車７６はこの狭幅部３０ａを通る水の水力により回転する。この実施の形態では、該羽根車７６は、浴槽排水流路３０内を浴槽排水流入口１０Ｂ側から合流流出口１０Ｄ側へ流れる水流により、導水筒４０を上方から見て反時計方向に回転するように構成されている。
【０１１０】
回転体７０は、シャフト７５を介してこの羽根車７６と一体的に回転する。即ち、この実施の形態では、この羽根車７６及びシャフト７５により、回転体７０を回転させる水力式の駆動手段が構成されている。
【０１１１】
この実施の形態でも、周壁２１は、第１〜５図の排水トラップ１０と同様に、下端側ほど縮径するテーパ形状となっている。
【０１１２】
この排水トラップ１０’’’のその他の構成は前述の第１〜５図の排水トラップ１０と同様であり、第１４〜１８図において第１〜５図と同一符号は同一部分を示している。
【０１１３】
この排水トラップ１０’’’にあっては、浴槽排水排出時には、浴槽排水流路３０を流れる水の一部が導入口４１から導水筒４０に導入され、この導水筒４０内を通って回転体７０の第３流出口７４から受入室２０内に流出する。この際、第３流出口７４から受入室２０内へ水が該受入室２０の接線方向に流出するため、その水勢によって受入室２０内に旋回流が形成されるようになる。また、この際、浴槽排水流路３０内の水流により羽根車７６が回転し、これと一体に、回転体７０も受入室２０内の旋回流の旋回方向と同方向に回転する。これにより、この第３流出口７４からの流出水の水勢が増幅され、受入室２０内に強力な旋回流が形成されるようになる。
【０１１４】
また、この実施の形態でも、受入室２０を囲む周壁２１は、下端側ほど縮径するテーパ形状となっているので、受入室２０内の下部の旋回流が第１流出口２２に向って連続的に増速しながら流れるようになり、旋回流速が効率よく増速されるため、受入室２０内の旋回流がより強力なものとなる。
【０１１５】
第１９図はさらに別の実施の形態に係る排水トラップの縦断面図、第２０図（ａ）はこの排水トラップの導水筒の上方からの斜視図、第２０図（ｂ）は第２０図（ａ）のＢ−Ｂ線断面図である。
【０１１６】
この実施の形態の排水トラップ１０’’’’においては、導水筒４０Ａは上端が開放しており、この上端開放口がヘアキャッチャー８０の底部に臨んでいる。この導水筒４０Ａ内に、該導水筒４０Ａの内周面に沿って該導水筒４０Ａの下端側から上端側へ螺旋状に延在するフィン９０が設けられている。この実施の形態では、該フィン９０により、旋回流形成手段が構成されている。
【０１１７】
この実施の形態では、該導水筒４０Ａの周方向に略等間隔にて２条のフィン９０が配設されている。各フィン９０は、導水筒４０Ａ内を約半周する間に導水筒４０Ａの下端側から上端側まで螺進するものとなっている。各フィン９０の幅は、導水筒４０Ａの内周の半径の半分程度となっている。この実施の形態では、各フィン９０は、導水筒４０Ａを上方から見て反時計方向先端側ほど上位となるように延在している。なお、フィン９０の個数や長さ、幅、配置はこれに限定されない。
【０１１８】
この実施の形態でも、周壁２１は、第１〜５図の排水トラップ１０と同様に、下端側ほど縮径するテーパ形状となっている。
【０１１９】
この排水トラップ１０’’’’のその他の構成は前述の第１〜５図の排水トラップ１０と同様であり、第１９，２０図において第１〜５図と同一符号は同一部分を示している。
【０１２０】
この排水トラップ１０’’’’にあっては、浴槽排水排出時には、浴槽排水流路３０を流れる水の一部が導入口４１から導水筒４０Ａに導入され、この導水筒４０Ａ内を通って該導水筒４０Ａの上端から受入室２０内に流出する。この際、導水筒４０Ａ内を流れる水は、フィン９０に沿って該導水筒４０Ａの上端側に向って流れるため、この導水筒４０Ａ内に旋回流が形成されるようになる。これにより、この導水筒４０Ａの上端から受入室２０内へ水が該受入室２０の略接線方向に流出するようになり、その水勢により受入室２０内にも旋回流が形成される。
【０１２１】
また、この実施の形態でも、受入室２０を囲む周壁２１は、下端側ほど縮径するテーパ形状となっているので、受入室２０内の下部の旋回流が第１流出口２２に向って連続的に増速しながら流れるようになり、旋回流速が効率よく増速されるため、受入室２０内の旋回流がより強力なものとなる。
【０１２２】
なお、第２１〜２３図にフィン９０の別の構成例を示す。第２１〜２３図において、（ａ）図は導水筒の上方からの斜視図であり、（ｂ）図は（ａ）図のＢ−Ｂ線断面図である。
【０１２３】
第２１図の導水筒４０Ｂにおいては、フィン９０は１条のみ設けられている。この導水筒４０Ｂのフィン９０は、該導水筒４０Ｂ内を約１周する間に導水筒４０Ｂの下端側から上端側まで螺進するものとなっている。また、このフィン９０の幅は、導水筒４０Ｂの内周の半径と略同程度となっている。この実施の形態でも、フィン９０は、導水筒４０Ｂを上方から見て反時計方向先端側ほど上位となるように延在している。
【０１２４】
第２２図の導水筒４０Ｃにおいても、フィン９０は１条のみ設けられている。また、この実施の形態でも、フィン９０は、該導水筒４０Ｃ内を約１周する間に導水筒４０Ｃの下端側から上端側まで螺進するものとなっている。この実施の形態では、フィン９０の幅は、導水筒４０Ｃの内周の半径の略半分程度となっている。この実施の形態でも、フィン９０は、導水筒４０Ｃを上方から見て反時計方向先端側ほど上位となるように延在している。
【０１２５】
第２３図の導水筒４０Ｄにおいては、２条のフィン９０が二重螺旋状に延設されている。この実施の形態でも、各フィン９０は、該導水筒４０Ｄ内を約１周する間に導水筒４０Ｄの下端側から上端側まで螺進するものとなっている。また、このフィン９０の幅は、導水筒４０Ｄの内周の半径の半分程度となっている。この実施の形態でも、各フィン９０は、導水筒４０Ｄを上方から見て反時計方向先端側ほど上位となるように延在している。
【０１２６】
上記実施の形態は本発明の一例であり、本発明は図示以外の態様をもとりうる。
【０１２７】
例えば、上記の各実施の形態では、導水部材として、受入室の中央に導水筒が立設されているが、導水部材の構成はこれに限定されない。例えば、導水部材は、周壁の外側に配置され、上端側が受入室２０内に開放した構成とされてもよい。
【０１２８】
周壁２１は、上端側から下端側まで略等径であり、しかも内周側にフィン６０も設けられていない構成であってもよい。
【図面の簡単な説明】
【０１２９】
【図１】実施の形態に係る排水トラップを備えた浴室の概略的な斜視図である。
【図２】図１の排水トラップの斜視図である。
【図３】図２のIII−III線断面図である。
【図４】図３のIV−IV線断面図である。
【図５】図３のＶ−Ｖ線断面図である。
【図６】実施の形態に係る排水トラップの斜視図である。
【図７】図６の排水トラップを図６のVII方向から見た斜視図である。
【図８】図６のVIII−VIII線断面図である。
【図９】図８のIX−IX線断面図である。
【図１０】実施の形態に係る排水トラップの斜視図である。
【図１１】図１０のXI−XI線断面図である。
【図１２】図１１のXII−XII線断面図である。
【図１３】図１２のXIII−XIII線断面図である。
【図１４】実施の形態に係る排水トラップの斜視図である。
【図１５】図１４のXV−XV線断面図である。
【図１６】図１５のXVI−XVI線断面図である。
【図１７】図１４の排水トラップのガイド部材と導水筒との分解斜視図である。
【図１８】図１５のXVIII−XVIII線断面図である。
【図１９】実施の形態に係る排水トラップの縦断面図である。
【図２０】図２０の排水トラップの導水筒の斜視図及び断面図である。
【図２１】別の構成例に係る排水トラップの導水筒の斜視図及び断面図である。
【図２２】別の構成例に係る排水トラップの導水筒の斜視図及び断面図である。
【図２３】別の構成例に係る排水トラップの導水筒の斜視図及び断面図である。
【図２４】従来例に係る排水トラップの縦断面図である。
【図２５】図２４の排水トラップの斜視図である。
【図２６】図２４の排水トラップの導水筒の側面図である。
【図２７】図２６のXXVII−XVII線矢視図である。
【図２８】図２７のXXVIII−XVIII線断面図である。
【符号の説明】
【０１３０】
２  洗い場パン
３  浴槽
４  排水枡
１０，１０’，１０’’，１０’’’，１０’’’’  排水トラップ
１０Ａ  洗い場排水受入口
１０Ｂ  浴槽排水流入口
１０Ｃ  浴槽パン排水口流入口
１０Ｄ  合流流出口
２０  受入室
２１  周壁
２２  第１流出口
３０  浴槽排水流路
３１  第２流出口
４０，４０Ａ〜４０Ｄ  導水筒
４１  導入口
４２  第３流出口
５０  張出部
５１  第３流出口
５２  導水路
５３  ガイド片
６０  フィン
７０  回転体
７４  第３流出口
７５  シャフト
７６  羽根車
９０  フィン
【図１】
0005115201.tif 000002
【図２】
0005115201.tif 000003
【図３】
0005115201.tif 000004
【図４】
0005115201.tif 000005
【図５】
0005115201.tif 000006
【図６】
0005115201.tif 000007
【図７】
0005115201.tif 000008
【図８】
0005115201.tif 000009
【図９】
0005115201.tif 000010
【図１０】
0005115201.tif 000011
【図１１】
0005115201.tif 000012
【図１２】
0005115201.tif 000013
【図１３】
0005115201.tif 000014
【図１４】
0005115201.tif 000015
【図１５】
0005115201.tif 000016
【図１６】
0005115201.tif 000017
【図１７】
0005115201.tif 000018
【図１８】
0005115201.tif 000019
【図１９】
0005115201.tif 000020
【図２０】
0005115201.tif 000021
【図２１】
0005115201.tif 000022
【図２２】
0005115201.tif 000023
【図２３】
0005115201.tif 000024
【図２４】
0005115201.tif 000025
【図２５】
0005115201.tif 000026
【図２６】
0005115201.tif 000027
【図２７】
0005115201.tif 000028
【図２８】
0005115201.tif 000029